(57)【要約】      （修正有）【課題】変電所内等に設置された充電部の点検に直接視認する場合若しくは反射鏡を介する場合に、高電圧部位の映像情報を無線で点検作業員に送信する充電部点検用装置を提供する。【解決手段】複数本の筒体によって形成された絶縁性材料からなる伸縮部材３と、伸縮部材の先端に連接された先端部材を有する操作棒２と、該操作棒の先端に取り付けたビデオカメラ５等の受像部とを備える。さらに、受像部が撮像した画像情報を、伸縮部材に取り付けた無線送信部６から無線受信部７に送信し、画像表示部８で確認とすることにより、感電のおそれなく充電部の現状の点検が可能な充電部点検装置とする。【選択図】図１
0003162050.tif 000002
【実用新案登録請求の範囲】
【請求項１】
基端側から先端側になるに従って段階的に細い外径に形成された複数本の筒体からなり、先端側の筒体が基端側の筒体に挿し込まれて収納され、前記先端側の筒体を基端側の筒体から軸方向に引き出すことで伸長可能に形成された絶縁性材料からなる伸縮部材と、該伸縮部材の先端に連接された先端部材とを備えた操作棒と、
前記先端部材の先端に取り付けられ、点検対象物を撮影し画像情報を生成する受像部と、
前記伸縮部材を形成する最先端の筒体に装着され、前記受像部から受信した画像情報を無線送信手段によって送信可能な無線送信部と、
前記無線送信部から無線送信された画像情報を受信する無線受信部と、
前記無線受信部から画像情報を受信し、当該画像情報を表示画面に表示可能な画像表示部とからなる
ことを特徴とする充電部用点検装置。
【請求項２】
前記無線送信手段は、周波数２．４ＧＨｚ帯の電波を利用すると共に、空中線電力が０．０１Ｗ以下で無線送信部及び無線受信部間を通信するものである
ことを特徴とする請求項１に記載の充電部用点検装置。
【請求項３】
前記先端部材の一部には、伸縮部材の径方向外方に屈曲自在な屈曲部材が形成される
ことを特徴とする請求項１又は２に記載の充電部用点検装置。
【請求項４】
前記屈曲部材は、複数の関節部材が軸方向に連結されると共に、当該複数の関節部材は相互に径方向外方に屈曲自在である多関節構造を有する
ことを特徴とする請求項３に記載の充電部用点検装置。
【考案の詳細な説明】
【技術分野】
【０００１】
本考案は、変電所内や電柱に備え付けられた充電部を点検するために使用する充電部用点検装置に関する。
【背景技術】
【０００２】
従来、充電部の状態を点検には、直接視認すると共に、直接視認困難な箇所については、操作棒の先端に反射鏡を装着したものを使用し、この反射鏡を介して点検を行なっていた。
【考案の概要】
【考案が解決しようとする課題】
【０００３】
しかし、直接視認する場合も、反射鏡を介する場合も、その状態を人が記憶しておいて報告書に転記するため、現状の詳細な報告が行われにくいという問題があった。
【課題を解決するための手段】
【０００４】
そこで、上記課題を解決するために本実用新案登録出願に係る充電部点検装置は、基端側から先端側になるに従って段階的に細い外径に形成された複数本の筒体からなり、先端側の筒体が基端側の筒体に挿し込まれて収納され、前記先端側の筒体を基端側の筒体から軸方向に引き出すことで伸長可能に形成された絶縁性材料からなる伸縮部材と、該伸縮部材の先端に連接された先端部材とを備えた操作棒と、前記先端部材の先端に取り付けられ、点検対象物を撮影し画像情報を生成する受像部と、前記伸縮部材を形成する最先端の筒体に装着され、前記受像部から受信した画像情報を無線送信手段によって送信可能な無線送信部と、前記無線送信部から無線送信された画像情報を受信する無線受信部と、前記無線受信部から画像情報を受信し、当該画像情報を表示画面に表示可能な画像表示部とからなることを特徴とする。
【０００５】
伸縮部材は絶縁性材料によって形成されており、特に筒体はグラスファイバー、若しくはグラスファイバーを含んだ絶縁性材料によって形成されることが好ましい。
【０００６】
伸縮部材が絶縁性材料によって形成され、特に筒体がグラスファイバーからなる絶縁性材料によって形成されることにより通電状態の充電部の点検作業に伴う感電に対する安全性を確保することができる。
【０００７】
また、先端部材も絶縁性材料で形成されていることが好ましく、さらには操作棒全体が絶縁性材料で形成されていることが好ましい。本物品を構成するできるだけ多くの部材が絶縁性材料で形成されることによって充電部の点検作業における感電に対する安全性をより高めることができるからである。
【０００８】
但し、伸縮部材が絶縁性材料で形成されることは、本考案に係る物品の一部に構造の強度の確保や部材の固定等を目的として金属材料を用いることを妨げるものではない。
【０００９】
絶縁性材料には、上記グラスファイバーを用いる場合は、絶縁性だけでなく軽量化及び所望の形状への成形性の点において好ましい。
【００１０】
伸縮部材は自在に伸長させることができるため、点検箇所から離れた場所からであっても安全な立ち位置を確保しながら作業を行なうことができる。また、作業後の持ち運び時には先端側の筒体を順次基端側の筒体内に収納することができるため、本考案に係る物品を容易に持ち運ぶことができる。
【００１１】
無線送信手段は、周波数２．４ＧＨｚ帯の電波を利用し、空中線電力は０．０１Ｗ以下で使用できる。
【００１２】
これにより、周囲の電磁波との干渉を減少させ、また大量のデータ量を伴う画像情報であってもスムーズな無線送受信を行なうことができるため、詳細な点検作業を行なうことができる。
【００１３】
受像部は、動画が撮像できるデジタルビデオカメラ若しくは静止画が撮像できるデジタルカメラであることが好ましく、より好ましくは動画及び静止画の両方が撮像できるデジタルビデオカメラを用いる。
【００１４】
前記先端部材の一部には、伸縮部材の径方向外方に屈曲自在な屈曲部材が形成されることが好ましい。
【００１５】
屈曲部材を形成することによって、受像装置の角度を自由に調節することができるため、障害物の背面など点検し難い場所の点検作業も容易に行なうことができる。
【００１６】
さらに、前記屈曲部材は、複数の関節部材が軸方向に連結されると共に、当該複数の関節部材は相互に径方向外方に屈曲自在である多関節構造を有することが好ましい。
【００１７】
屈曲部材がこのような多関節構造を有することによって受像装置の調整可能な角度の範囲を広げることができ、屈曲部材が一方向にのみ可動可能な構造を有する場合には点検が困難な位置にある点検箇所も作業者が無理な姿勢をとることなく作業を行なうことができる。
【考案の効果】
【００１８】
本考案によれば、伸縮部材が絶縁性材料からなると共に、受像部が生成した画像情報を無線送信手段によって受信して確認することができるため、充電部に対する作業であっても作業者が感電することを防ぎ、作業者の安全を守ることができる。
【００１９】
受像部が撮像した画像情報を手元の画像表示部で確認することができるため、充電部の劣化部分を詳細に点検することができる。
【００２０】
前記無線送信手段は、周波数２．４ＧＨｚ帯の電波を利用すると共に、空中線電力が０．０１Ｗ以下で無線送信部及び無線受信部間を通信するものであることにより、周囲の電磁波からの混線を防ぎ、また大量のデータ量を伴う画像情報であってもスムーズな無線送受信を行なうことができるため、詳細な点検作業を行なうことができる。
【００２１】
屈曲部材が形成されることによって受像装置の角度を自由に調節することができ、特に屈曲部材が多関節構造を有することによって伸縮部材の径方向外方のみならず上下左右に自由自在に受像装置の角度を調節することができるため、屈曲部材が特定方向にのみ可動可能な構造を有する場合には点検が困難な位置にある点検箇所も作業者が無理な姿勢をとることなく作業を行なうことができる。
【図面の簡単な説明】
【００２２】
【図１】充電部用点検装置１の全体を示す図である。
【図２】ビデオカメラ５を取り付けた操作棒２の先端部分を下斜めから見た部分斜視図である。
【図３】固定した携帯プレート１２に固定された無線受信部７及び画像表示部８を示す概略図である。
【考案を実施するための形態】
【００２３】
以下、本考案を実施するための形態を、図を参照しながら詳細に説明する。
【００２４】
図１は、本考案に係る充電部点検装置１の正面図である。充電部点検装置１は、異なる外径に形成された複数の筒体３Ａ〜３Ｈからなる伸縮部材３と、伸縮部材３の先端に形成された屈曲部材４によって構成される操作棒２を有し、操作棒２の先端には充電部等の点検対象物を撮像する受像部であるデジタル撮影式のビデオカメラ５が取り付けられ、伸縮部材３の最先端部分を構成する筒体３Ｈの先端部３ｈにはビデオカメラ５から画像情報Ｄを受信すると共に無線送信手段Ｒによって画像情報Ｄを送信可能な無線送信部６を備える。
【００２５】
さらに充電部点検装置１は、無線送信部６から無線送信手段Ｒによって送信された画像情報Ｄを受信可能な無線受信部７及び無線受信部７から画像情報Ｄを受信し、当該画像情報Ｄを表示画面８１に表示可能な画像表示部８を備えてなる。
【００２６】
無線送信手段Ｒは、周波数２．４ＧＨｚ帯の電波を利用し、空中線電力が０．０１Ｗ以下で無線送信部６及び無線受信部７間を通信できるものである。
【００２７】
伸縮部材３は、最も先端側の筒体３Ｈは基端側に隣接する筒体３Ｇに差し込まれた状態で収納されており、筒体３Ｇから筒体３Ｂも同様に基端側に隣接する筒体に順次挿し込まれた状態で収納されている。最も基端側の筒体３Ａは本考案に係る物品を使用する際、及び持ち運ぶ際に持ち手として機能する。
【００２８】
本実施例において、筒体３Ａ〜３Ｈはグラスファイバーを用いて形成されており、誤って充電部に触れても感電事故を防止できる電気絶縁性を備えている。
【００２９】
筒体３Ａ〜３Ｇのそれぞれの先端部には、筒体の周面に沿って緊締帯９１及びレバー９２からなる緊締部材９が取り付けられている。レバー９２は緊締帯９１の端部に回動可能に枢着され、レバー９２を筒体の先端方向に向けて回動させると緊締帯９１が径を拡大させて緩み、挿し込まれて収納されている筒体を引き出すことができる。また、レバー９１を基端方向に向けて回動させると緊締帯９１が径を縮小させて締まり、引き出した筒体を任意の位置で固定することができる。
【００３０】
伸縮部材３の最も先端側の筒体３Ｈは、筒体３Ｇ内に収納された状態でも筒体３Ｇの先端から先端方向に先端部３ｈが突出する長さに形成されており、当該先端部３ｈには無線送信部６が装着されている。
【００３１】
無線送信部６は、図２に示すように固定部材１０によって筒体３Ｈの先端部３ｈを狭持し、無線送信部６と固定部材１０とをネジ１１によって結合することによって固定されている。
【００３２】
無線送信部６とビデオカメラ５とは情報伝達線６１で結合されており、ビデオカメラ５が撮像して生成された画像情報Ｄが当該情報伝達線６１を介して無線送信部６に送信される。
【００３３】
また、無線送信部６の上端面には送信アンテナ６２が取り付けられており、画像情報Ｄを無線受信部７に送信することができる。
【００３４】
なお、本実施例において無線送信部６の外面にはバッテリー６３が取り付けられており、無線送信部６は電源供給線６４を介して電力の供給を受けて動作することができる。
【００３５】
筒体３Ｈの先端に連接された屈曲部材４は、図１、図２に示すように筒体３Ｈの先端と結合する筒状の下部結合端部４１と、複数の関節部材４４が軸方向に連結されてなる屈曲部材本体４２と、ビデオカメラ５が取り付けられる受像部取付端部４３とから構成される。なお、本実施例において受像部取付端部４３の先端にはビデオカメラ５を安定して取り付けるために略矩形板状の取付板４３Ａが設けられている。
【００３６】
下部結合端部４１、屈曲部材本体４２、及び受像部取付端部４３の内部には軸方向に互いに連通した空洞が形成されており、さらに下部結合端部４１及び受像部取付端部４３の側周面にはそれぞれ開口４５、４６が形成されている。前記情報伝達線６１を、開口４５、４６を介して屈曲部材４の内部に挿通させることによって作業時に情報伝達線６１が障害物に引っかかることを防ぐことができる。
【００３７】
屈曲部材本体４２は、図２に示すように関節部材４４を軸方向に複数連結してなる多関節構造に形成される。関節部材４４は、上端に関節球４４Ａを、また、下端に受け部材４４Ｂを有して形成され、関節球４４Ａを他の関節部材４４の受け部材４４Ｂに嵌め込むことによって連結することができる。
【００３８】
そのため、屈曲部材４に取り付けられたビデオカメラ５は、その撮像角度を径方向外方だけでなく上下左右にも自由に調節することができる。
【００３９】
無線送信部６から無線送信手段Ｒによって送信された画像情報Ｄは、無線送信部６から離隔した位置にある無線受信部７に送信される。無線受信部７の上端面には受信アンテナ７２が取り付けられており、画像情報Ｄを受信することができる。
【００４０】
画像情報Ｄを受信した無線受信部７は情報伝達線７１で結合された画像表示部８に画像情報Ｄを送信し、画像表示部８は受信した画像情報Ｄを表示画面８１に表示する。
【００４１】
なお、本実施例において無線受信部７は電源供給線７４によって結合されたバッテリー７３から電力の供給を受け動作することができる。
【００４２】
無線受信部７、画像表示部８、及びバッテリー７３は、図３に示すように携帯プレート１２に固定して同時に携帯できるようにすることが好ましい。携帯プレートの両側辺には図示されていない首掛け紐が取り付けられており、作業者は首掛け紐を首に掛けて携帯プレート１２を腰のあたりで画像表示部８が見えるように保持することによって、操作棒２を持って操作しながらビデオカメラ５が撮像した画像情報Ｄを確認することができる。
【００４３】
なお、情報伝達線７１及び電源供給線７４は、作業者の周囲にある物体に引っかからないように保護カバー１３で保護しておくことが望ましい。
【００４４】
充電部の点検作業を行なう際には、充電部から離れた位置から、作業者が伸縮部材３を伸長させた状態の操作棒２を操作してビデオカメラ５が点検箇所を撮像できるように操作する。この時、作業者は首に首掛け紐を掛けて保持した携帯プレート１２上の画像表示部８に表示された画像情報Ｄを確認しながら点検作業を行なうことができる。なお、ビデオカメラ５が撮像する画像情報Ｄは動画だけでなく静止画像であってもよく、状況に応じて作業者が最適な情報を選択しながら使用して点検作業を行なうことができる。
【００４５】
また、画像表示部８が固定された携帯プレート１２を別の作業者が持ち、画像情報Ｄを確認しながら操作棒２を操作する作業者に指示してもよい。このようにすれば操作棒２を操作する作業者が操作棒２の操作に集中することができ、操作棒２の充電部への接触を一層防止することができる。
【符号の説明】
【００４６】
１    充電部点検装置
２    操作棒
３    伸縮部材
３Ａ〜３Ｈ    筒体
４    屈曲部材
５    ビデオカメラ
６    無線送信部
７    無線受信部
８    画像表示部
Ｄ    画像情報
Ｒ    無線送信手段
【図１】
0003162050.tif 000003
【図２】
0003162050.tif 000004
【図３】
0003162050.tif 000005